(57)【要約】【課題】磁気カードリーダの複数の磁気信号読取ヘッドでクロストークの影響を受けることなく複数トラックの情報の読み取りを可能にした磁気カードリーダ用アダプタ装置を提供する。【解決手段】磁気カードリーダ（２）の複数の磁気読取ヘッド（２３０、２４０）によって読み取り可能な磁気信号を発生する磁気信号発生部（１３、１４）を磁気カードリーダ（２）の複数の磁気読取ヘッド（２３０、２４０）に対応して独立して設け、磁気信号発生部（１３、１４）は、隣接するトラックの磁気読取ヘッド（２３０、２４０）に対応して先行してから発生された磁気信号のポストアンブル部にプリアンブル部の少なくとも１部が重なるようにして時間的にずれた磁気信号を発生する。【選択図】  図６
2005025327.tif 000002
【特許請求の範囲】
【請求項１】
磁気カードリーダの複数の磁気読取ヘッドによって読み取り可能な磁気信号を発生する磁気信号発生手段を有する磁気カードリーダ用アダプタ装置であって、
前記磁気信号発生手段は、
前記磁気読取ヘッドに対応して独立して設けられた複数の磁気信号発生手段を有し、
各磁気信号発生手段は、
少なくとも隣接するトラックの磁気読取ヘッドに対応して時間的にずれた磁気信号を発生する
ことを特徴とする磁気カードリーダ用アダプタ装置。
【請求項２】
前記磁気信号は、
プリアンブル部、スタートマーク、データ部、エンドマーク、ポストアンブル部が連続したシリアル信号からなり、
前記磁気信号発生手段は、
先行して他の磁気信号発生手段から発生された磁気信号のポストアンブル部にプリアンブル部が重なるようにして磁気信号を発生する
ことを特徴とする請求項１記載の磁気カードリーダ用アダプタ装置。
【請求項３】
前記磁気信号は、
先行して他の磁気信号発生手段から発生された磁気信号のポストアンブル部にプリアンブル部の１部が重なるようにして磁気信号を発生する
ことを特徴とする請求項２記載の磁気カードリーダ用アダプタ装置。
【発明の詳細な説明】
【０００１】
【発明の属する技術分野】
この発明は、磁気カードリーダ用アダプタ装置に関し、特に、磁気カードリーダの隣接するトラック間でクロストークの影響を受けずに磁気信号を読み取ることができるようにした磁気カードリーダ用アダプタ装置に関する。
【０００２】
【従来の技術】
近年、情報を磁気カードに記録し、磁気カードに記録した情報を磁気カードリーダを介して読み取るという従来の磁気カードシステムに対して、情報をＩＣカードや携帯電話等のモバイル機器に記憶させ、ＩＣカードやモバイル機器に記憶させた情報をＩＣカードやモバイル機器と情報の授受が可能な読取装置を介して情報を読み取るというシステムが提案されている。
【０００３】
ＩＣカードやモバイル機器は、磁気カードと比べて多くの情報量が記憶でき、セキュリティーが優れているということからＩＣカードやモバイル機器に情報を記憶させ、記憶させた情報をＩＣカードやモバイル機器の読取装置を介して情報の授受を行うようなシステムへ移行しつつある。
【０００４】
例えば特許文献１に示されるように、クレジットカード契約者のＩＤを記憶して、パスワード等による本人認証機能を持つ携帯電話を利用し、クレジットカード会社からその携帯電話に電話をかけることにより本人確認を行うようなクレジット決済サービス方法が提案されている。
【０００５】
上記提案のクレジット決済サービス方法は、顧客が購入商品の決済を行う場合に、顧客の携帯電話をクレジット取引端末に接続することにより、クレジットカード会社のホストコンピュータシステムから顧客の携帯電話に本人確認の電話をかけて本人確認するようにしたクレジット決済サービス方法である。
【０００６】
【特許文献１】
特開２００３−０３０５５９号公報
【発明が解決しようとする課題】
しかしながら、従来の磁気カードを用いた決済サービスシステムは広く普及されているので、この既存の磁気カードを用いた決済サービスシステムでＩＣカードや携帯電話等のモバイル機器に記憶された情報を用いて決済サービスが行えるようにするために、この既存の磁気カードを用いた決済サービスシステムの磁気カードリーダでＩＣカードや携帯電話等のモバイル機器に記憶した情報が読み取れるような磁気カードリーダ用アダプタ装置の開発が望まれている。
【０００７】
このような磁気カードリーダ用アダプタ装置においては、磁気カードリーダの複数の磁気信号読取ヘッドに対して、それぞれに対応するトラックの磁気信号を発生する複数の磁気信号発生コイルを設け、この磁気カードリーダ用アダプタ装置を磁気カードリーダに挿入することにより、この磁気カードリーダ用アダプタ装置の複数の磁気信号発生コイルから発生された磁気信号を磁気カードリーダの複数の磁気信号読取ヘッドでそれぞれ読み取るようにして、既存の磁気カードリーダを変更することなく磁気カードを介さずに情報が入力できるようにした構成が提案されている。
【０００８】
しかしながら、上記磁気カードリーダ用アダプタ装置では、上記擬似カード上の磁気信号発生コイルが隣接して配置されるため、各磁気信号発生コイルで発生した磁気信号間にクロストークが発生し、磁気信号読取ヘッドにより複数トラックの情報を正確に読み取りができないという問題がある。
【０００９】
そこで、この発明は、磁気カードリーダの複数の磁気信号読取ヘッドでクロストークの影響を受けることなく複数トラックの情報の読み取りを可能にした磁気カードリーダ用アダプタ装置を提供することを目的とする。
【００１０】
【課題を解決するための手段】
上記目的を達成するため請求項１の発明は、磁気カードリーダの複数の磁気読取ヘッドによって読み取り可能な磁気信号を発生する磁気信号発生手段を有する磁気カードリーダ用アダプタ装置であって、前記磁気信号発生手段は、前記磁気読取ヘッドに対応して独立して設けられた複数の磁気信号発生手段を有し、各磁気信号発生手段は、少なくとも隣接するトラックの磁気読取ヘッドに対応して時間的にずれた磁気信号を発生することを特徴とする。
【００１１】
また、請求項２の発明は、請求項１の発明において、前記磁気信号は、プリアンブル部、スタートマーク、データ部、エンドマーク、ポストアンブル部が連続したシリアル信号からなり、前記磁気信号発生手段は、先行して他の磁気信号発生手段から発生された磁気信号のポストアンブル部にプリアンブル部が重なるようにして磁気信号を発生することを特徴とする。
【００１２】
また、請求項３の発明は、請求項２の発明において、前記磁気信号は、先行して他の磁気信号発生手段から発生された磁気信号のポストアンブル部にプリアンブル部の１部が重なるようにして磁気信号を発生することを特徴とする。
【００１３】
【発明の実施の形態】
以下、この発明に係わる磁気カードリーダ用アダプタ装置の実施の形態について図面を参照して説明する。
【００１４】
図１は、この発明に係わる磁気カードリーダ用アダプタ装置を用いた電子決済システムの一実施の形態の要部の構成を示すブロック図である。
【００１５】
図１において、この発明に係わる磁気カードリーダ用アダプタ装置１は、既存の磁気カードリーダ２のカード挿入口へ磁気カードの代わりに挿入され、磁気カードリーダ用アダプタ装置１が発生した磁気信号を磁気カードを介すことなく磁気カードリーダ２へ入力できるように構成したものである。
【００１６】
図１に示すように、この発明に係わる磁気カードリーダ用アダプタ装置１を用いた電子決済システム１００は、ＣＡＴ（＝Ｃｒｅｄｉｔ  Ａｕｔｈｏｒｉｚａｔｉｏｎ  Ｔｅｒｍｉｎａｌ：信用照会）端末３とケーブルを介して接続された磁気カードリーダ２と、磁気カードリーダ用アダプタ装置１とＲＳ−２３２Ｃ等のケーブルを介して接続された赤外線通信装置４と、赤外線通信装置４と赤外線を介して情報の送受信が可能な携帯電話５とを備えており、磁気カードリーダ用アダプタ装置１が磁気カードリーダ２のカード挿入口へ挿入されている。
【００１７】
なお、磁気カードリーダ用アダプタ装置１は、既存の磁気カードの大きさおよび厚さと略同様であり、カード挿入口へ差し込み、引き出し自在であるが、磁気カードリーダ用アダプタ装置１を図１に示すような位置に停止させたまま使用するものとする。
【００１８】
従来の磁気カードを用いた電子決済システムにおいては、利用客が購入した商品の代金を決済する場合には、利用客の銀行口座やカード番号情報等が記録された磁気カードを磁気カードリーダ２のカード挿入口へ所定の方向で差し込み、差し込んだ磁気カードを所定の方向へ所定の速度で移動させることで磁気カードに記録された情報の磁気信号が磁気カードリーダ２によって検知され読み取られる。
【００１９】
そして、磁気カードリーダ２によって読み取られた情報は、磁気カードリーダ２とケーブルを介して接続されたＣＡＴ端末３へ入力されて決済処理される。
【００２０】
図１に示した磁気カードリーダ用アダプタ装置１を用いた電子決済システム１００においては、従来の磁気カードに記録された情報を利用客の携帯電話５を介して入力するように構成されている。
【００２１】
例えば、携帯電話５は、利用客の銀行口座や個人情報等（以下、「個人情報」という。）を記憶した図示せぬＩＣチップと、既存の電話通信機能とは別に数メートル以内の距離内を赤外線を介して情報授受の通信が可能な赤外線通信機能を備えており、携帯電話５の所定の操作によりＩＣチップに記憶された個人情報が赤外線を介して送信できるように構成されている。
【００２２】
利用客が購入した商品の代金を決済する場合には、利用客は携帯電話５を赤外線通信装置４の図示せぬ受信部に近づけ、携帯電話５の所定の操作を行うことにより、ＩＣチップに記憶された個人情報が赤外線を介して赤外線通信装置４へ入力される。
【００２３】
赤外線通信装置４は、数メートル以内の距離内を赤外線を介して情報の送受信が可能な通信装置であり、携帯電話５から赤外線を介して送信された個人情報が赤外線通信装置４に受信され入力されるように構成されている。
【００２４】
赤外線通信装置４に入力された個人情報は、赤外線通信装置４の図示せぬ記憶装置に記憶された変換テーブルＡによって磁気信号の情報に変換されてＲＳ−２３２Ｃのケーブルを介して磁気カードリーダ用アダプタ装置１へ入力される。
【００２５】
なお、変換テーブルＡは、磁気カードリーダ用アダプタ装置１が携帯電話５から赤外線を介して入力された個人情報に対応した磁気信号が生成できるような変換データがテーブル化されて管理されている。
【００２６】
磁気カードリーダ用アダプタ装置１は、赤外線通信装置４から入力された個人情報に基づいて磁界（磁気信号）を生成し、磁気カードリーダ用アダプタ装置１によって生成された磁気信号が磁気カードリーダ２によって検知され読み取られる。
【００２７】
磁気カードリーダ２によって読み取られた個人情報は、磁気カードリーダ２とケーブルを介して接続されたＣＡＴ端末３へ入力されて決済処理される。
【００２８】
ところで、この発明に係わる磁気カードリーダ用アダプタ装置１は、個人情報に応じた磁気信号を磁気カードリーダの複数の磁気読取ヘッドに対して、それぞれに対応して独立に生成し、個人情報を磁気カードリーダ２へ入力できるように構成されている。
【００２９】
この発明に係わる磁気カードリーダ用アダプタ装置１の構成について説明する。
【００３０】
図２は、図１に示した磁気カードリーダ用アダプタ装置１の要部の構成を示すブロック図である。
【００３１】
図２において、磁気カードリーダ用アダプタ装置１は、既存の２トラック用磁気カードに対応し、磁気カードの代わりに個人情報に応じた各トラックの磁気信号を生成して磁気カードリーダ２へ個人情報を入力するような例を想定して示したものである。
【００３２】
図２（ａ）は磁気カードリーダ用アダプタ装置１の要部の平面図であり、図２（ｂ）は磁気カードリーダ用アダプタ装置１の要部の側面図である。
【００３３】
また、図２（ｃ）は、磁気カードリーダ用アダプタ装置１を磁気カードリーダ２のカード挿入口へ挿入した状態の磁気カードリーダ用アダプタ装置１と磁気カードリーダ２の要部の側面図である。
【００３４】
図２（ａ）および図２（ｂ）に示すように、磁気カードリーダ用アダプタ装置１は、既存の磁気カードと略同様な大きさと厚さで成形されており、既存の磁気カードが所定の位置に所定の大きさの磁気トラックを形成しているのと同様に、磁気カードリーダ用アダプタ装置１の所定の位置に、所定の大きさの第１磁気信号発生部１３と第２磁気信号発生部１４が配置されている。
第１磁気信号発生部１３と第２磁気信号発生部１４は、既存の磁気カードの第１磁気トラックと第２磁気トラックにそれぞれ対応しており、磁気カードリーダ用アダプタ装置１を磁気カードリーダ２のカード挿入口２１へ所定の方向で挿入すると、図２（ｃ）に示すように、第１磁気信号発生部１３および第２磁気信号発生部１４がそれぞれ磁気カードリーダ２の第１磁気読取ヘッド２３０と第１磁気信号発生部１３、第２磁気読取ヘッド２４０と第２磁気信号発生部１４とに対向するような位置に配置されている。
【００３５】
磁気カードリーダ用アダプタ装置１は、図２（ａ）に示すように、ＲＳ−２３２Ｃ１５を介して磁気カードリーダ用アダプタ装置１と赤外線通信装置４との間の情報を授受するインタフェース部１１と、赤外線通信装置４から入力された個人情報に応じて第１磁気信号発生部１３および第２磁気信号発生部１４へ流す電流の方向とタイミングを制御するとともに磁気カードリーダ用アダプタ装置１全体を制御する制御部１２と、制御部１２によって制御された電流の方向に応じて磁界を生成する第１磁気信号発生部１３および第２磁気信号発生部１４を備えており、これらの各部が基板１０上に形成されて図２（ｂ）に示すようにプラスチック製のカードの中に合着されている。
【００３６】
赤外線通信装置４から入力された個人情報は、インタフェース部１１を介して制御部１２へ入力され、制御部１２が個人情報に応じて第１磁気信号発生部１３および第２磁気信号発生部１４へ流す電流の方向とタイミングを制御する。
【００３７】
第１磁気信号発生部１３および第２磁気信号発生部１４は、平面もしくは立体のコイルで形成されており、第１磁気信号発生部１３および第２磁気信号発生部１４に流れる電流の方向とタイミングに応じて「ＳＮ極」から「ＮＳ極」もしくは「ＮＳ極」から「ＳＮ極」に反転するような磁界を生成し、個人情報に応じた磁気信号パターンが第１磁気信号発生部１３および第２磁気信号発生部１４に生成される。
【００３８】
ここで、磁気カードリーダ用アダプタ装置１が磁気カードリーダ２によって読み取り可能な磁気信号を生成する方法について既存の磁気カードを用いた場合と対応させて説明する。
【００３９】
図３は、磁気カードリーダ用アダプタ装置１が磁気カードリーダ２で読み取り可能な磁気信号を生成する方法を説明するための説明図である。
【００４０】
図３（ａ）は、既存の磁気カード（２トラック用）を示す図であり、図３（ｂ）および図３（ｄ）は、この磁気カードの各磁気トラックに記録された磁気データを磁気カードリーダ２の各磁気読取ヘッド２３０および２４０が検出した磁気信号パターンを示す図である。
【００４１】
図３（ａ）に示すように、２トラック用の磁気カード（以下、「磁気カード」という。）３００には第１磁気トラック３１０と第２磁気トラック３２０が形成されており、この磁気カード３００を磁気カードリーダ２の挿入口２１へ挿入して所定方向（矢印３５０）へ所定速度でスライドさせると、磁気カードリーダ２の第１磁気読取ヘッド２３０が第１磁気トラック３１０に記録された磁気データを検出し、第２磁気読取ヘッド２４０が第２磁気トラック３２０に記録された磁気データを検出する。
【００４２】
図３（ｂ）は、第１磁気読取ヘッド２３０が第１磁気トラック３１０に記録された磁気データを検出した時の磁気信号パターン３１１を示し、図３（ｃ）は、第２磁気読取ヘッド２４０が第２磁気トラック３２０に記録された磁気データを検出した時の磁気信号パターン３２１を示している。
【００４３】
磁気カードリーダ２は、各磁気読取ヘッド２３０および２４０が検出した磁気信号パターン３１１および３２１に基づいて、所定時間内に磁束密度が反転するような磁気信号を検出した場合を「１」値、反転しない場合を「０」値として認識する、いわゆるＦ２Ｆ方式の値で認識し読み取る。
【００４４】
例えば、磁気信号パターン３１１の場合は、所定時間「０からｔ１」内に磁気信号が「ＳＮ極」から「ＮＳ極」に反転しているので「１」値として認識し、所定時間「ｔ１からｔ２」内では、磁気信号が「ＳＮ極」のままなので「０」値として認識する。
【００４５】
同様に「ｔ２からｔ３」内では「０」値、「ｔ３からｔ４」内では「１」値、「ｔ４からｔ５」内では「１」値としてそれぞれ認識し、第１磁気トラック３１０に記録された磁気データを「１００１１」値として読み取る。
【００４６】
また、磁気信号パターン３２１の場合は、所定時間「０からｔ１」内では「０」値、「ｔ１からｔ２」内では「１」値、「ｔ２からｔ３」内では「０」値、「ｔ３からｔ４」内では「１」値、「ｔ４からｔ５」内では「１」値としてそれぞれ認識し、第２磁気トラック３２０に記録された磁気データを「０１０１１」値として読み取る。
【００４７】
このように磁気カードリーダ２が読み取れるような磁気データの磁気信号パターンを生成するために、磁気カードリーダ用アダプタ装置１は、磁気カード３００の第１磁気トラック３１０および第２磁気トラック３２０に記録された各磁気データに対応した磁気信号パターン３１１および３２１を次のような動作で生成する。
【００４８】
なお、磁気カード３００の第１磁気トラック３１０には第１磁気信号発生部１３が、第２磁気トラック３２０には第２磁気信号発生部１４がそれぞれ対応しており、入力された個人情報のうちの第１個人情報に対応した磁気データ「１００１１」の磁気信号を第１磁気信号発生部１３で生成し、第２個人情報に対応した磁気データ「０１０１１」の磁気信号を第２磁気信号発生部１４で生成するものとする。
【００４９】
また、磁気カードリーダ用アダプタ装置１の制御部１２は、第１磁気信号発生部１３および第２磁気信号発生部１４へ流す電流の方向とタイミングをそれぞれ独立に制御することが可能であり、第１磁気信号発生部１３および第２磁気信号発生部１４に流れる電流は、所定の周波数の周期ｔ（ｔ１、ｔ２、ｔ３、ｔ４、ｔ５・・・）毎に順逆それぞれの方向に交互に流れるように構成されているものとする。
【００５０】
まず、制御部１２は、入力された第１個人情報「１００１１」を「１」、「０」、「０」、「１」、「１」の順に分解し、分解した第１個人情報の「１」、「０」の情報に応じて、例えば、「１」の場合には第１磁気信号発生部１３に生成される磁気信号が、所定時間内に「ＳＮ極」から「ＮＳ極」もしくは「ＮＳ極」から「ＳＮ極」へ反転するように制御し、「０」の場合には所定時間内に磁気信号が反転しないように制御する。
【００５１】
例えば、制御部１２の制御によって第１磁気信号発生部１３へ電流が流れると、第１磁気信号発生部１３には所定の周波数の周期ｔ（ｔ１、ｔ２、ｔ３、ｔ４、ｔ５・・・）毎に順方向と逆方向の電流が交互に流れ、図３（ｄ）に示すような磁気信号パターン３４０が生成される。
【００５２】
この磁気信号パターン３４０を磁気カードリーダ２の各磁気読取ヘッド２３０および２４０が検出すると、磁気カードリーダ２は、所定時間「０からｔ１」、「ｔ１からｔ２」、「ｔ２からｔ３」、「ｔ３からｔ４」、「ｔ４からｔ５」のそれぞれの所定時間内において磁束密度の反転が検出されていないので「０」として認識し、「０００００」値の磁気データとして読み取る。
【００５３】
そこで、制御部１２が第１個人情報「１００１１」に対応する磁気信号パターンを生成するために、磁気信号パターン３４０の「０」、「０」、「０」、「０」、「０」を「１」、「０」、「０」、「１」、「１」へ変調する制御を行なう。
【００５４】
この変調制御は、例えば、磁気信号パターン３４０の時間ｔが「０からｔ１」の間と、「ｔ３からｔ４」の間および「ｔ４からｔ５」の間のそれぞれの所定時間内において、磁気信号が「ＳＮ極」から「ＮＳ極」もしくは「ＮＳ極」から「ＳＮ極」のいずれかへ反転するように制御部１２が第１磁気信号発生部１３へ流す電流の方向を順方向もしくは逆方向に方向制御する。
【００５５】
このように制御することによって、第１磁気信号発生部１３には、磁気データ「１００１１」に対応した図３（ｂ）に示すような磁気信号パターン３１１が生成される。
【００５６】
また、第２磁気トラック３２０に対応する第２磁気信号発生部１４で第２個人情報「０１０１１」の磁気信号を生成する場合は、制御部１２が磁気信号パターン３４０の「０」、「０」、「０」、「０」、「０」を「０」、「１」、「０」、「１」、「１」へ変調制御する。
【００５７】
例えば、磁気信号パターン３４０の時間ｔが「ｔ１からｔ２」の間と、「ｔ３からｔ４」の間および「ｔ４からｔ５」の間のそれぞれの所定時間内において、磁気信号が「ＳＮ極」から「ＮＳ極」もしくは「ＮＳ極」から「ＳＮ極」のいずれかへ反転するように制御部１２が第２磁気信号発生部１４へ流す電流の方向を順方向もしくは逆方向に方向制御する。
【００５８】
このように制御することによって、第２磁気信号発生部１４には、磁気データ「０１０１１」に対応した図３（ｃ）に示すような磁気信号パターン３２１が生成される。
【００５９】
ところが、既存の磁気カード３００のように第１磁気信号発生部１３および第２磁気信号発生部１４が隣接されて配置されている場合には、磁気信号パターン３１１および３２１が第１磁気信号発生部１３および第２磁気信号発生部１４でそれぞれ略同時に生成されると、生成された磁気信号パターン３１１および３２１が相互に干渉する、いわゆるクロストーク現象が発生する場合があり、このクロストーク現象が発生した場合には、磁気カードリーダ２の読み取り性能が不安定になる場合がある。
【００６０】
そこで、この発明に係わる磁気カードリーダ用アダプタ装置１は、インタフェース部１１を介して入力された個人情報に応じた磁気信号を第１磁気信号発生部１３および第２磁気信号発生部１４で生成するタイミングを時系列に連続して制御するように構成されている。
【００６１】
磁気カード用アダプタ装置１が入力された個人情報に応じた磁気信号を時系列に連続して第１磁気信号発生部１３および第２磁気信号発生部１４で生成する制御方法について磁気カードの規格に対応させながら説明する。
【００６２】
磁気カードの規格によると、前述の図３で説明した既存の磁気カード３００の上側の第１磁気トラック３１０および下側の第２磁気トラック３２０は、個人情報のうちの第１個人情報および第２個人情報を記録したデータ本体部分から磁気カード３００の両端で少なくとも５ｍｍ以上あること、及びデータ本体部以外の両端５ｍｍの部分は、書込み時に全て「０」が書き込まれるように規定されている。
【００６３】
なお、第１個人情報は、第１磁気トラック３１０に記録された個人情報に対応した磁気データ、第２個人情報は、第２磁気トラック３２０に記録された個人情報に対応した磁気データであるものとする。
【００６４】
図４は、図３で示した既存の磁気カード３００の第１磁気トラック３１０および第２磁気トラック３２０のデータ構成を磁気カードの規格に対応させて示したデータ構成図である。
【００６５】
図４（ａ）に示すように、第１磁気トラック３１０は、磁気カード３００を磁気カードリーダ２に対して順方向（矢印３５０）にスライドさせた場合に、磁気カードリーダ２が第１磁気トラック３１０から読み込んだ磁気信号の同期をとるための少なくとも数ビットが「０」である前同期データ３１１と、第１個人情報のデータの開始を示す開始符号３１２と、第１個人情報等の所望のデータを記録する第１個人情報３１３と、第１個人情報３１３のデータの終了を示す終了符号３１４と、少なくとも数ビットが「０」である後同期データ３１５の順に磁気データが記録されている。
【００６６】
また、第２磁気トラック３２０は、磁気カードリーダ２が第２磁気トラック３２０から読み込んだ磁気信号の同期をとるための少なくとも数ビットが「０」である同期データ前３２１と、第２個人情報のデータの開始を示す開始符号３２２と、第２個人情報等の所望のデータを記録する第２個人情報３２３と、第２個人情報３２３のデータの終了を示す終了符号３２４と、少なくとも数ビットが「０」である後同期データ３２５の順に磁気データが記録されている。
【００６７】
この磁気カード３００を磁気カードリーダ２の挿入口２１へ挿入し、所定方向（矢印３５０）へ所定速度でスライドさせると、磁気カードリーダ２の各磁気読取ヘッド２３０および２４０は、図４（ｂ）で示すようなタイミングの時系列で各磁気信号を検出する。
例えば、第１磁気読取ヘッド２３０は、図４（ｂ）で示すように、前同期データ３１１に対応したプリアンブル信号４１１、開始符号３１２に対応した開始符号信号４１２、第１個人情報３１３に対応した第１個人情報信号４１３、終了符号３１４に対応した終了符号信号４１４、後同期データ３１５に対応したポストアンブル信号４１５の順に検出し、この検出した各磁気信号パターンに基づいて磁気カードリーダ２が各磁気信号パターンに対応した情報を認識して読み取る。
【００６８】
第１磁気読取ヘッド２３０が検出した各信号に対応した磁気信号パターンは、例えば図５に示すような磁気信号パターンで検出される。
【００６９】
図５は、図４に示した第１磁気読取ヘッド２３０が検出した各磁気信号に対応した磁気信号パターンを示す図である。
【００７０】
図５に示すように、第１磁気読取ヘッド２３０が検出した各磁気信号パターンは、プリアンブル信号４１１が少なくとも数ビットが「０」である磁気信号パターン５００で検出され、開始符号信号４１２が磁気信号パターン５０１、第１個人情報信号４１３が磁気信号パターン５０２、終了符号信号４１４が磁気信号パターン５０３、ポストアンブル信号４１５が磁気信号パターン５０４でそれぞれ検出され、この検出結果に基づいて磁気カードリーダ２が「００００００」（プリアンブル信号４１１の値）、「１０１０００」（開始符号信号４１２の値）、「１００１１」（第１個人情報信号４１３の値）、「１１１１１０」（終了符号４１４の値）、「００００００」（ポストアンブル信号４１５の値）のそれぞれの磁気データ値として読み取る。
【００７１】
また、第２磁気読取ヘッド２４０は、前同期データ３２１に対応したプリアンブル信号４２１、開始符号３２２に対応した開始符号信号４２２、第２個人情報３２３に対応した第２個人情報信号４２３、終了符号３２４に対応した終了符号信号４２４、後同期データ３２５に対応したポストアンブル信号４２５の順に検出し、この検出した各磁気信号パターンに基づいて磁気カードリーダ２が各磁気信号パターンに対応した情報を読み取る。
【００７２】
しかし、前述の図４（ｂ）で示したような時系列のタイミングで磁気カードリーダ用アダプタ装置１の第１磁気信号発生部１３および第２磁気信号発生部１４が各磁気トラック３１０および３２０に対応した磁気信号パターンを生成すると、第１磁気信号発生部１３および第２磁気信号発生部１４で生成した各磁気信号パターンが相互に干渉するクロストーク現象が発生する場合があるので、図６に示すような時系列のタイミングで第１磁気信号発生部１３および第２磁気信号発生部１４がそれぞれの磁気信号パターンを生成するような時間制御を行う。
【００７３】
図６は、この発明に係わる磁気カードリーダ用アダプタ装置１の制御部１２が入力された個人情報に応じた磁気信号を第１磁気信号発生部１３および第２磁気信号発生部１４で生成するタイミングを時系列に制御する一例を示すタイムチャートである。
【００７４】
このタイムチャート６００に基づいて磁気カードリーダ用アダプタ装置１が入力された個人情報に応じた磁気信号パターンを第１磁気信号発生部１３および第２磁気信号発生部１４で生成する動作について説明する。
【００７５】
図６に示すように、制御部１２へインタフェース部１１を介して第１個人情報および第２個人情報が入力されると、制御部１２は、まず第１磁気信号発生部１３へ電流を流す制御を行い、少なくとも数ビットが「０」であるプリアンブル信号４１１（図５の磁気信号パターン５００参照）を所定時間生成し、その後、第１個人情報信号４１３の開始を示す開始符号の対応する開始符号信号４１２（磁気信号パターン５０１参照）を電流の方向制御を行うことにより生成する。
【００７６】
開始符号信号４１２の生成が終了すると、入力された第１個人情報に対応した第１個人情報信号４１３（磁気信号パターン５０２参照）を生成し、第１個人情報信号４１３の生成終了後、第１個人情報部４１３のデータ終了を示す終了符号信号４１４（磁気信号パターン５０３参照）を生成する。
【００７７】
終了符号信号４１４生成後、少なくとも数ビットが「０」であるポストアンブル信号４１５を生成するとともに、第２磁気信号発生部１４のプリアンブル信号４２１を生成する。
【００７８】
第１磁気信号発生部１３のポストアンブル信号４１５が所定時間生成されると、制御部１２が第１磁気信号発生部１３へ流す電流を停止する。
【００７９】
第２磁気信号発生部１４のプリアンブル信号４２１を所定時間生成後、開始符号信号４２２、第２個人情報信号４２３、終了符号信号４２４、ポストアンブル信号４２５の順に磁気信号を生成し、第２磁気信号発生部１４のポストアンブル信号４２５が所定時間生成されると、制御部１２が第２磁気信号発生部１４へ流す電流を停止して第１磁気信号発生部１３および第２磁気信号発生部１４で生成する磁気信号パターンの制御を終了する。
【００８０】
このように入力された個人情報に応じて第１磁気信号発生部１３のポストアンブル信号４１５と第２磁気信号発生部１４のプリアンブル信号４２１とを重ねて生成することにより、磁気カードリーダ２は、第１磁気信号発生部１３および第２磁気信号発生部１４で生成された磁気信号を磁気カードリーダ２に挿入された１枚の磁気カードの情報として読み取る。
【００８１】
更に、入力された個人情報に応じた磁気信号を第１磁気信号発生部１３および第２磁気信号発生部１４で生成するタイミングを制御部１２が時系列に連続して制御するので第１磁気信号発生部１３および第２磁気信号発生部１４で生成された磁気信号がクロストークすることなく確実に磁気カードリーダ２へ入力することが可能となる。
【００８２】
なお、図６で示したタイムチャート６００においては、最初に第１磁気信号発生部１３で第１個人情報に対応した磁気信号パターンを生成し、その後、第２個人情報に対応した磁気信号パターンを第２磁気信号発生部１４で生成するような時系列を示してあるが、最初に第２磁気信号発生部１４で磁気信号パターンを生成するようにしてもよい。
【００８３】
図７は、図２で示した磁気カードリーダ用アダプタ装置１とは他の磁気カードリーダ用アダプタ装置の要部の構成を示すブロック図である。
【００８４】
図７において、磁気カードリーダ用アダプタ装置７１は、従来の３トラック用磁気カードに対応して個人情報を磁気カードリーダ７２へ入力するように構成したものである。
【００８５】
したがって、磁気カードリーダ用アダプタ装置７１は、図１で示した磁気カードリーダ用アダプタ装置１の構成に第３磁気信号発生部７１６を付加して制御部７１２が３トラック用の磁気信号パターンが生成できるように制御する他は、磁気カードリーダ用アダプタ装置１と同様な構成および動作である。
【００８６】
図７（ａ）および図７（ｂ）は磁気カードリーダ用アダプタ装置７１の表面部（図７（ａ））と裏面部（図７（ｂ））の要部の平面図であり、図７（ｃ）は磁気カードリーダ用アダプタ装置７１の要部の側面図である。
【００８７】
また、図７（ｄ）は、磁気カードリーダ用アダプタ装置７１を磁気カードリーダ７２のカード挿入口７２１へ挿入した状態の磁気カードリーダ用アダプタ装置７１と磁気カードリーダ７２の要部の側面図である。
【００８８】
図７（ａ）および図７（ｂ）に示すように、磁気カードリーダ用アダプタ装置７１は、既存の磁気カードと略同様な大きさと厚さで成形されており、既存の磁気カードが所定の位置に所定の大きさの磁気トラックを形成しているのと同様に、磁気カードリーダ用アダプタ装置７１の所定の位置に、所定の大きさの第１磁気信号発生部７１３と第２磁気信号発生部７１４および第３磁気信号発生部７１６が配置されている。
すなわち、図７（ｄ）に示すように、磁気カードリーダ７２のカード挿入口７２１へ磁気カードリーダ用アダプタ装置７１を所定の方向で挿入すると、第１磁気信号発生部７１３と第２磁気信号発生部７１４および第３磁気信号発生部７１６は、磁気カードリーダ７２の第１磁気読取ヘッド７２３が第１磁気信号発生部７１３と、第２磁気読取ヘッド７２４が第２磁気信号発生部７１４と、第３磁気読取ヘッド７２６が第３磁気信号発生部７１６とがそれぞれ対向するような位置に配置されている。
【００８９】
磁気カードリーダ用アダプタ装置７１は、図７（ａ）に示すように、ＲＳ−２３２Ｃ７１５を介して磁気カードリーダ用アダプタ装置７１と赤外線通信装置４との間の情報を授受するインタフェース部７１１と、赤外線通信装置４から入力された情報に応じて第１磁気信号発生部７１３と第２磁気信号発生部７１４および第３磁気信号発生部７１６へ流す電流の方向とタイミングを制御するとともに磁気カードリーダ用アダプタ装置７１全体を制御する制御部７１２と、制御部７１２によって制御された電流の方向に応じて磁界を生成する第１磁気信号発生部７１３と第２磁気信号発生部７１４および第３磁気信号発生部７１６を備えており、これらの各部が基板７１０および７１７上に形成されて図７（ｃ）に示すようにプラスチック製のカードの中に合着されている。
【００９０】
赤外線通信装置４から入力された個人情報は、インタフェース部７１１を介して制御部７１２へ入力され、制御部７１２が個人情報に応じて第１磁気信号発生部７１３と第２磁気信号発生部７１４および第３磁気信号発生部７１６へ流す電流の方向とタイミングを制御する。
【００９１】
第１磁気信号発生部７１３と第２磁気信号発生部７１４および第３磁気信号発生部７１６は、平面もしくは立体のコイルで形成されており、第１磁気信号発生部７１３と第２磁気信号発生部７１４および第３磁気信号発生部７１６に流れる電流の方向とタイミングに応じて「ＳＮ極」から「ＮＳ極」もしくは「ＮＳ極」から「ＳＮ極」に反転するような磁界を生成し、個人情報に応じて磁界の極性が変化した磁気信号パターンが第１磁気信号発生部７１３と第２磁気信号発生部７１４および第３磁気信号発生部７１６に生成される。
【００９２】
磁気カードリーダ用アダプタ装置７１が磁気カードリーダ７２によって読み取り可能な磁気信号を生成する方法については、前述の図３および図４で説明した動作と同様であるので詳細説明は省略する。
【００９３】
さて、磁気カードリーダ用アダプタ装置７１は、インタフェース部７１１を介して入力された個人情報に応じて第１磁気信号発生部７１３と第２磁気信号発生部７１４および第３磁気信号発生部７１６で生成する磁気信号パターンのタイミングを制御する。
【００９４】
前述の説明のように、第１磁気信号発生部７１３と第２磁気信号発生部７１４および第３磁気信号発生部７１６のうちの隣接して配置されている各磁気信号発生部では、略同時に磁気信号を生成すると、各磁気信号が相互に干渉するクロストーク現象が発生する場合があるので、制御部７１２は各磁気信号発生部が生成した磁気信号がクロストークしないように時系列に連続して生成するようなタイミング制御を行う。
【００９５】
図８は、磁気カードリーダ用アダプタ装置７１の制御部７１２が入力された個人情報に応じた磁気信号を第１磁気信号発生部７１３と第２磁気信号発生部７１４および第３磁気信号発生部７１６で生成するタイミングを時系列に制御する一例を示すタイムチャートである。
【００９６】
このタイムチャート８００に基づいて磁気カードリーダ用アダプタ装置７１が入力された個人情報に応じた磁気信号パターンを生成する動作について説明する。
【００９７】
図８に示すように、制御部７１２へインタフェース７１１を介して第１個人情報と第２個人情報および第３個人情報が入力されると、制御部７１２は、まず第１磁気信号発生部７１３へ電流を流す制御を行い、少なくとも数ビットが「０」であるプリアンブル信号８１１を所定時間生成し、その後、第１個人情報のデータの開始を示す開始符号の対応する開始符号信号８１２を電流の方向制御を行うことにより生成する。
【００９８】
開始符号信号８１２の生成が終了すると、入力された第１個人情報に対応した第１個人情報信号８１３を生成し、第１個人情報信号８１３の生成終了後、第１個人情報信号８１３のデータ終了を示す終了符号信号８１４を生成する。
【００９９】
終了符号信号８１４生成後、少なくとも数ビットが「０」であるポストアンブル信号８１５を生成するとともに、第２磁気信号発生部７１４のプリアンブル信号８２１を生成する。
【０１００】
第１磁気信号発生部７１３のポストアンブル信号８１５が所定時間生成されると、制御部７１２は第１磁気信号発生部７１３へ流す電流を停止する。
【０１０１】
第２磁気信号発生部７１４のプリアンブル信号８２１を所定時間生成後、開始符号信号８２２、第２個人情報信号８２３、終了符号信号８２４の順に各磁気信号を生成し、終了符号信号８２４生成後、第２磁気信号発生部７１４のポストアンブル信号８２５を生成するとともに、第３磁気信号発生部７１６のプリアンブル信号８３１を生成する。
【０１０２】
第２磁気信号発生部７１４のポストアンブル信号８２５が所定時間生成されると、制御部７１２は第２磁気信号発生部７１３へ流す電流を停止する。
【０１０３】
第３磁気信号発生部７１６のプリアンブル信号８３１を所定時間生成後、開始符号信号８３２、第３個人情報信号８３３、終了符号信号８３４、ポストアンブル信号８３５の順に各磁気信号生成し、第３磁気信号発生部７１６のポストアンブル信号８３５が所定時間生成されると、制御部７１２は第３磁気信号発生部７１６へ流す電流を停止して第１磁気信号発生部７１３と第２磁気信号発生部７２４および第３磁気信号発生部７１６で生成する磁気信号パターンの制御を終了する。
【０１０４】
このように、入力された個人情報に応じた磁気信号を第１磁気信号発生部７１３と第２磁気信号発生部７１４および第３磁気信号発生部７１６で生成するタイミングを制御部１２が時系列に制御するので第１磁気信号発生部７１３と第２磁気信号発生部７１４および第３磁気信号発生部７１６で生成された磁気信号がクロストークすることなく確実に磁気カードリーダ２へ入力することが可能となる。
【０１０５】
また、既存の３トラック用磁気カードに対応した磁気カードリーダ用アダプタ装置７１においては、図８に示したタイムチャート８００の他に図９から図１３に示したタイムチャート９００、１０００、１１００、１２００、１３００の制御方法も可能であり、これらのタイミング制御は、図８に示した第１磁気信号発生部７１３と第２磁気信号発生部７１４および第３磁気信号発生部７１６の何れの順で時間をずらした磁気信号を発生させるかの組み合わせである。
【０１０６】
例えば、タイムチャート９００で示した制御方法は、第２磁気信号発生部７１４が第１磁気信号発生部７１３および第３磁気信号発生部７１６に対してそれぞれ互いに隣接して配置されているので、先行して第１磁気信号発生部７１３および第３磁気信号発生部７１６が磁気信号生成後、時間をずらして第２磁気信号発生部７１４が磁気信号を生成するように構成したものである。
【０１０７】
なお、タイムチャート９００においては、入力された個人情報に応じた磁気信号を第１磁気信号発生部７１３および第３磁気信号発生部７１６が先行して同時に生成するような例を示してあるが、第１磁気信号発生部７１３および第３磁気信号発生部７１６が磁気信号を生成するタイミングは同時でなくてもよい。
【０１０８】
ただし、この場合は、第１磁気信号発生部７１３および第３磁気信号発生部７１６のうちの遅れて生成した磁気信号のポストアンブル信号生成中に第２磁気信号発生部７１４のプリアンブル信号を生成するように制御する。
【０１０９】
タイムチャート１３００の制御方法は、入力された個人情報に応じた磁気信号を先行して第２磁気信号発生部７１４が生成し、その後、時間をずらして第２磁気信号発生部７１４と互いに隣接されて配置された第１磁気信号発生部７１３および第３磁気信号発生部７１６が磁気信号を生成するように構成したものである。
【０１１０】
この場合は、第２磁気信号発生部７１４のポストアンブル信号生成中に第１磁気信号発生部７１３および第３磁気信号発生部７１６の各プリアンブル信号を生成するように制御する。
【０１１１】
また、タイムチャート１０００、１１００、１２００で示した各制御方法は、図８で示したタイムチャート８００の制御方法において、入力された個人情報に応じた磁気信号を第１磁気信号発生部７１３、第２磁気信号発生部７１４、第３磁気信号発生部７１６の順に生成するタイミング（タイムチャート８００）を第２磁気信号発生部７１４、第１磁気信号発生部７１３、第３磁気信号発生部７１６の順（タイムチャート１０００）、第２磁気信号発生部７１４、第３磁気信号発生部７１６、第１磁気信号発生部７１３の順（タイムチャート１１００）、第３磁気信号発生部７１６、第２磁気信号発生部７１４、第１磁気信号発生部７１３の順（タイムチャート１２００）の順にそれぞれ時間をずらして生成するように構成したものである。
【０１１２】
これらの各タイムチャートに基づいた制御動作については、図８で示した動作と同様なので説明は省略する。
【０１１３】
【発明の効果】
以上説明したように、この発明によれば、磁気カードリーダの複数の磁気読取ヘッドに対応して独立して設けられた複数の磁気信号発生手段によって、少なくとも隣接するトラックの磁気読取ヘッドに対応して時間的にずれた磁気信号を発生するように構成したので、磁気カードリーダの隣接するトラック間でクロストークの影響を受けずに磁気信号を読み取ることができるという効果を奏する。
【図面の簡単な説明】
【図１】この発明に係わる磁気カードリーダ用アダプタ装置を用いた一実施の形態の要部の構成を示すブロック図である。
【図２】この発明に係わる磁気カードリーダ用アダプタ装置１の要部の構成を示すブロック図である。
【図３】磁気カードリーダ用アダプタ装置１が磁気カードリーダ２によって読み取り可能な磁気信号を生成する方法を示す説明図である。
【図４】既存の磁気カード３００の第１磁気トラック３１０および第２磁気トラック３２０の磁気データの構成図である。
【図５】図４に示した第１磁気読取ヘッド２３０が検出した各磁気信号に対応した磁気信号パターンを示す図である。
【図６】図１に示した磁気カードリーダ用アダプタ装置１が個人情報に応じて第１磁気信号発生部１３および第２磁気信号発生部１４で生成する磁気信号パターンのタイミング制御の一例を示すタイムチャートである。
【図７】図２で示した磁気カードリーダ用アダプタ装置１とは他の磁気カードリーダ用アダプタ装置の要部の構成を示すブロック図である。
【図８】磁気カードリーダ用アダプタ装置７１が個人情報に応じて第１磁気信号発生部７１３と第２磁気信号発生部７１４および第３磁気信号発生部７１６で生成する磁気信号パターンのタイミング制御の一例を示すタイムチャートである。
【図９】図８に示したタイミング制御とは他の例を示すタイムチャートである。
【図１０】図９に示したタイミング制御とは他の例を示すタイムチャートである。
【図１１】図１０に示したタイミング制御とは他の例を示すタイムチャートである。
【図１２】図１１に示したタイミング制御とは他の例を示すタイムチャートである。
【図１３】図１２に示したタイミング制御とは他の例を示すタイムチャートである。
【符号の説明】
１、７１  磁気カードリーダ用アダプタ装置
２、７２  磁気カードリーダ
３        ＣＡＴ（＝Ｃｒｅｄｉｔ  Ａｕｔｈｏｒｉｚａｔｉｏｎ  Ｔｅｒｍｉｎａｌ：信用照会）端末
４        赤外線通信装置
５        携帯電話
１０、７１０、７１７  基板
１１、７１１    インタフェース部
１２、７１２    制御部
１３、７１３    第１磁気信号発生部
１４、７１４    第２磁気信号発生部
１５、７１５    ＲＳ−２３２Ｃ
２１、７２１    磁気カード挿入口
１００  電子決済システム
２３０、７２３  第１磁気読取ヘッド
２４０、７２４  第２磁気読取ヘッド
７１６  第３磁気信号発生部
７２６  第３磁気読取ヘッド
【図１】
2005025327.tif 000003
【図２】
2005025327.tif 000004
【図３】
2005025327.tif 000005
【図４】
2005025327.tif 000006
【図５】
2005025327.tif 000007
【図６】
2005025327.tif 000008
【図７】
2005025327.tif 000009
【図８】
2005025327.tif 000010
【図９】
2005025327.tif 000011
【図１０】
2005025327.tif 000012
【図１１】
2005025327.tif 000013
【図１２】
2005025327.tif 000014
【図１３】
2005025327.tif 000015